(57)【要約】【課題】同一帯域を利用する移動局だけでなく異なる帯域を利用する移動局による多重アクセス干渉を軽減すること。【解決手段】通信システムは、複数の移動局と基地局とを有する。移動局は、カザック符号より成るパイロットチャネルと、所定の帯域の中で一定間隔に並んだ複数の周波数成分を有する信号とを対応付ける。移動局は該信号を含む送信信号をスケジューリング情報に従って送信する。移動局は自局の送信信号と、自局と異なる帯域を利用する移動局の送信信号とが周波数軸上で直交するように、対応付けを行う。基地局は、受信信号とパイロットチャネルのレプリカとの相関を計算し、チャネル推定を行う。基地局はチャネル推定結果を利用して受信信号を復調する。パイロットチャネルのレプリカは、カザック符号より成るパイロットチャネルを、所定の帯域の中で一定間隔に並んだ複数の周波数成分を有する信号に対応付けることで生成される。【選択図】図１
2007194751.tif 000002
【特許請求の範囲】
【請求項１】
カザック符号より成るパイロットチャネルを生成する手段と、
前記パイロットチャネルと、所定の帯域の中で一定間隔に並んだ複数の周波数成分を有する信号とを対応付ける第１のマッピング手段と、
前記第１のマッピング手段の出力信号を含む送信信号を、スケジューリング情報に従って送信する手段と、
を有し、前記第１のマッピング手段は、自局の送信信号と、自局と異なる帯域を利用する移動局の送信信号とが周波数軸上で直交するように、前記パイロットチャネルを前記複数の周波数成分へ対応付ける
ことを特徴とする移動局。
【請求項２】
前記パイロットチャネルを生成する手段は、パイロットチャネルに使用されるカザック符号を循環的に所定長だけシフトさせる手段を有する
ことを特徴とする請求項１記載の移動局。
【請求項３】
前記循環的にシフトさせる手段は、パイロットチャネルに使用されるカザック符号の末尾のデータを含む所定長の一連のデータを前記カザック符号の先頭に付加する
ことを特徴とする請求項２記載の移動局。
【請求項４】
前記循環的にシフトさせる手段は、パイロットチャネルに使用されるカザック符号の先頭のデータを含む所定長の一連のデータを前記カザック符号の末尾に付加する
ことを特徴とする請求項２記載の移動局。
【請求項５】
データチャネルを符号拡散する拡散手段と、
拡散手段の出力信号と、所定の帯域の中で一定間隔に並んだ複数の周波数成分を有する信号とを対応付ける第２のマッピング手段と、
を有し、前記送信する手段は、前記第１及び第２のマッピング手段の出力信号を含む送信信号を送信する
ことを特徴とする請求項１記載の移動局。
【請求項６】
パイロットチャネルのレプリカを生成するレプリカ生成手段と、
受信信号とパイロットチャネルのレプリカとの相関を計算する相関手段と、
前記相関手段の出力に基づいてチャネル推定を行う手段と、
チャネル推定結果を利用し、受信信号を復調する手段と、
を有し、前記レプリカ生成手段は、
カザック符号より成るパイロットチャネルを生成する手段と、
前記パイロットチャネルと、所定の帯域の中で一定間隔に並んだ複数の周波数成分を有する信号とを対応付ける第１のマッピング手段と、
を有することを特徴とする基地局。
【請求項７】
前記パイロットチャネルを生成する手段は、パイロットチャネルに使用されるカザック符号を循環的に所定長だけシフトさせる手段を有する
ことを特徴とする請求項６記載の基地局。
【請求項８】
複数の移動局と基地局とを有する通信システムであって、
少なくとも１つの移動局は、
カザック符号より成るパイロットチャネルを生成する手段と、
前記パイロットチャネルと、所定の帯域の中で一定間隔に並んだ複数の周波数成分を有する信号とを対応付ける第１のマッピング手段と、
前記第１のマッピング手段の出力信号を含む送信信号を、スケジューリング情報に従って送信する手段と、
を有し、前記第１のマッピング手段は、自局の送信信号と、自局と異なる帯域を利用する移動局の送信信号とが周波数軸上で直交するように、前記パイロットチャネルを前記複数の周波数成分へ対応付け、
前記基地局は、
パイロットチャネルのレプリカを生成するレプリカ生成手段と、
受信信号とパイロットチャネルのレプリカとの相関を計算する相関手段と、
前記相関手段の出力に基づいてチャネル推定を行う手段と、
チャネル推定結果を利用し、受信信号を復調する手段と、
を有し、前記レプリカ生成手段は、
カザック符号より成るパイロットチャネルを生成する手段と、
前記パイロットチャネルと、所定の帯域の中で一定間隔に並んだ複数の周波数成分を有する信号とを対応付ける第１のマッピング手段と、
を有することを特徴とする通信システム。
【請求項９】
複数の移動局と基地局とを有する通信システムで使用される通信方法であって、
少なくとも１つの移動局が、
カザック符号より成るパイロットチャネルと、所定の帯域の中で一定間隔に並んだ複数の周波数成分を有する信号とを対応付け、
該信号を含む送信信号をスケジューリング情報に従って送信し、
自局の送信信号と、自局と異なる帯域を利用する移動局の送信信号とが周波数軸上で直交するように、前記の対応付けが行われ、
前記基地局は、
受信信号とパイロットチャネルのレプリカとの相関を計算し、チャネル推定を行い、
チャネル推定結果を利用して受信信号を復調し、
前記パイロットチャネルのレプリカは、カザック符号より成るパイロットチャネルを、所定の帯域の中で一定間隔に並んだ複数の周波数成分を有する信号に対応付けることで生成される
ことを特徴とする通信方法。
【発明の詳細な説明】
【技術分野】
【０００１】
本発明は無線通信の技術分野に関し、特に移動局、基地局、通信システム及び通信方法に関連する。
【背景技術】
【０００２】
この種の技術分野では高速大容量のデータ通信の要請に応じるため広帯域の無線アクセス方式が益々重要になってきている。現在の第３世代の無線アクセス方式では直接シーケンス符号分割多重接続(DS-CDMA)方式が使用され、１セル周波数繰り返しを利用することで周波数利用効率や伝送効率等を向上させることが意図されている。この主のシステムで使用される基地局は複数のセクタに在圏する複数の移動局と通信する必要があり、いわゆる多重アクセス干渉(MAI:  Multiple  Access  Interference)の問題を克服する必要がある。上りリンク通信における多重アクセス干渉を克服するための従来の手法は例えば非特許文献１に記載されている。
【非特許文献１】E.Hong,S.Hwang,K.Kim,and  K.Whang,“Synchronous  transmission  technique  for  the  reverse  link  in  DS-CDMA”,IEEE  Trans.on  Commun.,vol.47,no.11,pp.1632-1635,Nov.1999
【発明の開示】
【発明が解決しようとする課題】
【０００３】
非特許文献１に記載の手法は、直交コードを利用して、各移動局からの上りリンクチャネルを直交させ、ＭＡＩを克服しようとしている。従って様々な移動局からの上りリンクチャネルを基地局での直交を実現するには、全ての上りリンクチャネルがチップレベルで厳密に同期していることを要する。しかも直交関係が成立するのは同期したパス間の信号に限られる。しかしながらそのように厳密にスケジューリングすることはタイミング等の管理負担が大きく、処理が煩雑になってしまう問題が懸念される。
【０００４】
一方、将来的な次世代の無線アクセス方式では広狭様々な周波数帯域が用意され、用途に応じて移動局は様々な帯域を利用できることが要請されるかもしれない。このような場合にも全ての移動局をチップレベルで厳密に同期することを要求することは更に困難を伴う。
【０００５】
本発明は、上記問題点の少なくとも１つに対処するためになされたものであり、その課題は、同一帯域を利用する移動局だけでなく異なる帯域を利用する移動局による多重アクセス干渉を軽減するための移動局、基地局、通信システム及び通信方法を提供することである。
【課題を解決するための手段】
【０００６】
本発明では、複数の移動局と基地局とを有する通信システムが使用される。少なくとも１つの移動局は、カザック符号より成るパイロットチャネルを生成する手段と、前記パイロットチャネルと、所定の帯域の中で一定間隔に並んだ複数の周波数成分を有する信号とを対応付ける第１のマッピング手段と、前記第１のマッピング手段の出力信号を含む送信信号を、スケジューリング情報に従って送信する手段とを有する。前記第１のマッピング手段は、自局の送信信号と、自局と異なる帯域を利用する移動局の送信信号とが周波数軸上で直交するように、前記パイロットチャネルを前記複数の周波数成分へ対応付ける。
【０００７】
前記基地局は、パイロットチャネルのレプリカを生成するレプリカ生成手段と、受信信号とパイロットチャネルのレプリカとの相関を計算する相関手段と、前記相関手段の出力に基づいてチャネル推定を行う手段と、チャネル推定結果を利用し、受信信号を復調する手段とを有する。前記レプリカ生成手段は、カザック符号より成るパイロットチャネルを生成する手段と、前記パイロットチャネルと、所定の帯域の中で一定間隔に並んだ複数の周波数成分を有する信号とを対応付ける第１のマッピング手段とを有する。
【発明の効果】
【０００８】
同一帯域を利用する移動局だけでなく異なる帯域を利用する移動局による多重アクセス干渉を軽減することができる。
【発明を実施するための最良の形態】
【０００９】
本発明の一形態では、移動局で使用される周波数帯域が異なる移動局同士の間では、ディストリビュートＦＤＭＡ方式で各上りリンクチャネル（パイロットチャネル）が区別される。使用する周波数帯域が同じ移動局同士の間では、あるカザック符号を循環的にシフトすることにより生成された互に直交する一群のカザック符号を利用して各移動局の上りパイロットチャネルが区別される。移動局同士の間で直交性が確保されることに加えて、個々の移動局からのパイロットチャネルの遅延パス間の直交性も維持される。このため、基地局で観測される符号間干渉量は非常に小さく抑制される。
【００１０】
本発明の一形態では、同一帯域を利用する複数の移動局でパイロットチャネルに使用される符号はカザック符号であるが、ある移動局に使用されるカザック符号と別の移動局に使用されるカザック符号は、互に循環的にシフトさせることで得られる関係になく、それらは互に独立に設定される。このようにすると、基地局で観測される符号間干渉の総量は、カザック符号以外の符号が使用された場合よりも、遅延パス間の干渉量（マルチパス干渉）が著しく低減されるので、少なくともその分だけ少なくて済む。更に、この形態はカザック符号のシフト量の管理を行う必要が無いので、既存のシステムに導入しやすい利点を有する。
【実施例１】
【００１１】
図１は本発明の一実施例によるＣＤＭＡ方式を使用する移動通信システムの全体図を示す。通信システムは１以上の移動局ＭＳ１〜５と基地局ＢＳとを含む。個々の移動局は何らかのセクタに属し、移動局が所属するセクタ数は原則として１つであるが、第３の移動局ＭＳ３のようにセクタ境界に位置する場合には移動局は複数のセクタに属するかもしれない。各移動局は複数の周波数帯域の１以上を使用できる機能を有する。本実施例では複数の周波数帯域として、２０ＭＨｚの帯域、２０ＭＨｚの一部である１０ＭＨｚの帯域、１０ＭＨｚの一部である５ＭＨｚの帯域、５ＭＨｚの帯域の一部である２．５ＭＨｚの帯域、２．５ＭＨｚの帯域の一部である１．２５ＭＨｚの帯域が用意されている。別の実施例ではこれより多数の又は少数の帯域が用意されてもよいし、別の広さの帯域幅が用意されてもよい。本実施例では様々な上りリンクチャネル（図中、移動局から基地局へ向う矢印で示される）は基地局である程度同期して受信される。この同期はチップレベルの同期ではないにもかかわらず、本発明では所定の期間の間に受信された同一内容の上りリンクチャネルは互に直交する。
【００１２】
図２は移動局の部分ブロック図を示す。図２にはパイロットチャネル生成部２１と、シフト部２２と、第１のマッピング部２３と、データチャネル生成部２４と、符号拡散部２５と、第２のマッピング部２６と、多重部２７と、送信タイミング調整部２８とが描かれている。
【００１３】
パイロットチャネル生成部２１は、コード割当情報に基づいてカザック符号(CAZAC  code)より成るパイロットチャネルを生成する。以下、カザック符号について概説する。
【００１４】
図３に示されるように、ある１つのカザック符号Ａの符号長がＬであるとする。説明の便宜上、この符号長はＬサンプルの期間に相当するものと仮定するが、このような仮定は本発明に必須ではない。このカザック符号Ａの末尾のサンプル（Ｌ番目のサンプル）を含む一連のΔ個のサンプル（図中、斜線で示される）を、カザック符号Ａの先頭に移行することで、図３下側に示されるように別の符号Ｂが生成される。この場合において、Δ＝１〜（Ｌ−１）に関してカザック符号Ａ及びＢは互に直交する関係を有する。即ち、ある１つのカザック符号とそのカザック符号を循環的に(cyclically)シフトさせた符号は互に直交する。従って符号長Ｌのカザック符号が１つ用意された場合には、理論上Ｌ個の互に直交する符号群を用意することができる。
【００１５】
本実施例では、このような性質を有する一群のカザック符号の中から選択されたカザック符号が、移動局のパイロットチャネルとして使用される。但し、本実施例ではＬ個の互いに直交する符号群のうち、基本となるカザック符号をｎ×ＬΔだけ循環的にシフトさせることで得られるＬ／ＬΔ個の符号が、移動局のパイロットチャネルとして実際に使用される（ｎ＝１，２，．．．，Ｌ／ＬΔ）。このようにすることで、移動局から受信された上りリンクチャネルは互に直交する。カザック符号についての詳細は、例えば次の文献に記載されている：D.C.Chu,“Polyphase  codes  with  good  periodic  correlation  properties”,IEEE  Trans.Inform.Theory,vol.IT-18,pp.531-532,July  1972；3GPP,R1-050822,Texas  Instruments,“On  allocation  of  uplink  sub-channels  in  EUTRA  SC-FDMA”。
【００１６】
図２のシフト部２２はパイロットチャネル生成部２１で生成されたパイロットチャネル（カザック符号）を循環的にシフトさせ、出力する。シフト量（ｎ×ＬΔ）は移動局毎に設定される。
【００１７】
第１のマッピング部２３は、カザック符号より成るパイロットチャネルと、移動局が現在使用する帯域の中で一定間隔に並んだ複数の周波数成分を有する信号とを対応付ける。この対応付け（マッピング）は、自局の送信信号と、自局と異なる帯域を利用する移動局の送信信号とが周波数軸上で直交するように、パイロットチャネルを複数の周波数成分へ対応付ける。このようなマッピングはディストリビュート(distributed)ＦＤＭＡ又は分散型ＦＤＭＡ方式と呼ばれてもよい。
【００１８】
図４は上りリンクのパイロットチャネルのマッピング例を示す。上述したように、本実施例では移動局は様々な帯域幅を利用することができる。１．２５ＭＨｚの帯域を利用するある移動局のパイロットチャネルは、右側の２つの周波数成分を有するようにマッピングされる。５ＭＨｚの帯域を利用するある移動局のパイロットチャネルは、右側の８つの等間隔に並んだ周波数成分を有するようにマッピングされる。１０ＭＨｚの帯域を利用するある移動局のパイロットチャネルは、等間隔に並んだ１６個の周波数成分を有するようにマッピングされる。図示されるように帯域の異なる移動局のパイロットチャネルは周波数軸上で互に直交するようにマッピングされる。どのようにマッピングするかについてのマッピング情報は、上りリンクのスケジューリング情報と共に基地局から通知されてもよい。
【００１９】
図４に示されるようなマッピングは様々な手法で実現することができる。実現方法の１つはシングルキャリア方式を利用する。この手法は高速フーリエ変換（ＦＦＴ）及び逆変換（ＩＦＦＴ）を用いることで、図示のようなマッピングが周波数領域で実現されるようにする。別の実現方法もシングルキャリア方式を採用し、 VSCRF-CDMA(Variable  Spreading  and  Chip  Repetition  Factors-CDMA)方式を使用する。パイロットチャネルを時間的に圧縮及び反復し、移動局毎に位相回転を加えることで、パイロットチャネルを図示のような櫛歯状の周波数スペクトルを有する信号に変換することができる。更に別の手法はマルチキャリア方式を使用するものである。マルチキャリア伝送に使用されるサブキャリアを個々に指定することで図示のようなマッピングを直接的に実現することができる。但し、上りリンクのピーク対平均電力比を抑制する観点からはシングルキャリア方式を利用することが望ましい。
【００２０】
図２のデータチャネル生成部２４はデータチャネルを生成する。一般的には制御データチャネル及びユーザのトラフィック用のデータチャネルがあるが、簡明化のためそれらは区別して描かれてはいない点に留意を要する。
【００２１】
符号拡散部２５はデータチャネルにスクランブルコードを乗算し、符号拡散を行う。
【００２２】
第２のマッピング部２６は第１のマッピング部２３と同様に、送信しようとするデータチャネルと、移動局が現在使用する帯域の中で一定間隔に並んだ複数の周波数成分を有する信号とを対応付ける。この対応付けも、自局の送信信号と、自局と異なる帯域を利用する移動局の送信信号とが周波数軸上で直交するようになされてもよい。
【００２３】
多重部２７はマッピング後のパイロットチャネル及びデータチャネルを多重化し、送信信号を作成する。多重化の手法は時分割多重化及び周波数分割多重化の双方又は一方を用いてなされてもよい。但し、符号多重（ＣＤＭ）は使用されない。カザック符号に何らかの符号を更に乗算すると、カザック符号のもつ優れた自己相関特性（個々の移動局からのパイロットチャネルの遅延パス間の直交性ならびに循環的にシフトさせることで得られた符号同士の直交性）は失われてしまうからである。多重部２７でパイロットチャネル及びデータチャネルが多重されることは、本発明で必須ではない。例えばある期間内にパイロットチャネルだけが基地局に送信されてもよい。
【００２４】
送信タイミング調整部２８は、基地局で受信される様々な移動局からの信号が互に同期するように基地局からのスケジューリング情報に従って送信するタイミングを調整する。
【００２５】
本実施例では、使用する周波数帯域が異なる移動局同士の間では、図４に示されるようなディストリビュートＦＤＭＡ方式で各上りリンクチャネル（パイロットチャネル）が区別される。図４に示される例では、１，２５ＭＨｚ、５ＭＨｚ及び１０ＭＨｚの帯域を使用する移動局のパイロットチャネルは、ディストリビュートＦＤＭＡ方式で全て周波数軸上で直交している。
【００２６】
使用する周波数帯域が同じ移動局同士の間では、カザック符号の直交性を利用して各移動局の上りパイロットチャネルが区別される。図５は同一の帯域を利用する移動局を区別するために用意されるカザック符号（群）を示す。上述したようにカザック符号はそれを循環的にシフトさせたものと直交関係を有する。そして遅延量ＬΔの大きさを適切に設定し、ＬΔの整数倍だけ循環的にシフトさせることで得られる符号群がパイロットチャネルに使用される。例えばあるカザック符号Ｃ＃１をＬΔの整数倍だけ循環的にシフトさせることで、互に直交するＮ個のカザック符号を含む符号群ＣＮが得られる。図示の例では、先ずユーザ＃１，＃２，．．．の順に符号群ＣＮに含まれる符号が割り当てられる。この方法でＮユーザを見分けることができる。Ｎ＋１番目のユーザが存在する場合には、カザック符号Ｃ＃１とは別のカザック符号＃２に基づいて生成されるＭ個の直交符号を含む別の符号群ＣＭが用意され、Ｎ＋１番目以降のユーザには符号群ＣＭ中の符号が順に割り当てられる。このようにして、Ｎ＋Ｍ番目までのユーザにカザック符号を割り当てることができ、各ユーザを区別することができる。以後同様にして多数のユーザに異なるカザック符号を割り当てることができる。なお、符号群ＣＮと符号群ＣＭとの間では直交関係は成立しないので、若干の符号間干渉が生じる。しかしながら、符号群ＣＮ中のＮ個の符号の中では直交性が完全に維持され、符号群ＣＭ中のＭ個の符号の中でも直交性が完全に維持されるので、本実施例で生じる程度の符号間干渉量は、カザック符号でない符号がパイロットチャネルに使用された場合に生じる符号間干渉量よりもかなり少なくて済む。説明の便宜上、符号群ＣＮにも符号群ＣＭにも同じシフト量ＬΔが使用されているが、別々のシフト量が使用されてもよい。但し、パイロットチャネルの符号長は互に等しいので、シフト量がそろっていると、あるカザック符号から同数の符号群が得られる点で符号の管理がしやすいかもしれない。
【００２７】
図６は本発明の一実施例による基地局の部分ブロック図を示す。図示の各要素はある移動局についての処理に関連するものであり、実際には同時に通信する移動局数の分だけ同様な機能要素が用意される。図６には分離部６０と、復調部６１と、パスサーチャ６２（相関検出部６３及び受信タイミング検出部６４を含む）と、チャネル推定部６５と、パイロットレプリカ生成部６６（パイロットチャネル生成部６７、シフト部６８及びマッピング部６９を含む）とが描かれている。
【００２８】
分離部６０は移動局からの受信信号中に含まれるパイロットチャネル及びデータチャネルを分離する。
【００２９】
復調部６１はデータチャネルをチャネル推定結果を利用しながら復調する。
【００３０】
パスサーチャ６２はパイロットチャネルを用いてパスサーチを行う。
【００３１】
相関検出部６３はパイロットチャネルのレプリカと受信したパイロットチャネルとの相関を計算し、計算結果を出力する。
【００３２】
受信タイミング検出部６４は相関結果の示すピークのタイミング及び大きさ等を調べることで受信タイミングを検出する。
【００３３】
チャネル推定部６５はパスサーチ結果に基づいてチャネル推定を行う。
【００３４】
パイロットレプリカ生成部６６はパイロットチャネルのレプリカを生成する。パイロットチャネルレプリカ生成部６６に備わるパイロットチャネル生成部６７、シフト部６８及びマッピング部６９は、移動局の対応する要素２１，２２，２３と同様な機能を有する。
【００３５】
パイロットチャネル生成部６７はコード割当情報に基づいてカザック符号より成るパイロットチャネルを生成する。
【００３６】
シフト部６８は信号処理対象の移動局に対するシフト量だけカザック符号を循環的にシフトさせる。
【００３７】
マッピング部６９はカザック符号より成るパイロットチャネルと、移動局が現在使用する帯域の中で一定間隔に並んだ複数の周波数成分を有する信号とを対応付ける。
【００３８】
上述したように本実施例では、異なる周波数帯域を利用する移動局同士の間では、図４に示されるようなディストリビュートＦＤＭＡ方式で各上りリンクチャネル（パイロットチャネル）が基地局で区別される。使用する周波数帯域が同じ移動局同士の間では、カザック符号の直交性を利用して各移動局の上りパイロットチャネルが基地局で区別される。
【００３９】
カザック符号はそれをサイクリックにシフトさせたものと直交する。このことは、カザック符号より成るパイロットチャネルについての一群の遅延パス同士も互に直交することを意味する。例えばパイロットチャネルの先頭パスよりτだけ遅延した遅延パスは、先頭パスのパイロットチャネルをτだけ循環的にシフトさせたパイロットチャネルに相当するからである。従って本実施例のように、あるカザック符号から循環シフトで導出されるカザック符号が利用される場合には、移動局同士の間で直交性が確保されることに加えて、個々の移動局からのパイロットチャネルの遅延パス間の直交性も維持される。このため、基地局で観測される符号間干渉量は非常に小さく抑制される。
【実施例２】
【００４０】
本発明の第２実施例では、同一帯域を利用する複数の移動局でパイロットチャネルに使用される符号はカザック符号であるが、ある移動局に使用されるカザック符号と別の移動局に使用されるカザック符号は、互に循環的にシフトさせることで得られる関係になく、それらは互に独立に設定される。
【００４１】
図７は同一の帯域を利用する移動局を区別するために本実施例で用意されるカザック符号を示す。カザック符号＃１とカザック符号＃２は互に循環的にシフトさせることで得られる関係になく、それらは非直交な関係にある。従って移動局間で生じる符号間干渉量は、カザック符号とは異なる例えばランダムシーケンスのような符号を用いた場合に生じる程度に大きくなるかもしれない。しかしながら、パイロットチャネルにカザック符号が使用されているので、そのパイロットチャネルの遅延パス間の直交性は第１実施例の場合と同様に維持できる。従って基地局で観測される符号間干渉の総量は、本実施例では遅延パス間の干渉量が著しく低減されるので、少なくともその分だけ、カザック符号以外の符号が使用された場合より少なくて済む。更に、本実施例の手法はシフト量の管理を行う必要が無いので、第２実施例は第１実施例に比較して既存のシステムに導入しやすいという利点を有する。
【実施例３】
【００４２】
第１実施例では同一の帯域幅を利用する移動局はカザック符号を用いるＣＤＭＡ方式だけで区別されたが、第３実施例ではディストリビュートＦＤＭＡ方式及びカザック符号を用いるＣＤＭＡ方式の双方が使用される。先ずディストリビュートＦＤＭＡ方式で移動局が区別される。移動局数が多く、ディストリビュートＦＤＭＡ方式だけでは移動局を区別することができない場合に、カザック符号を用いたＣＤＭＡ方式（実施例１の方式でもよいし、実施例２の方式でもよい）を用いて移動局が区別される。ディストリビュートＦＤＭＡ方式では個々の周波数成分にマッピングされる信号同士は完全に直交するので、これは干渉を減らす観点から特に好ましい。ディストリビュートＦＤＭＡ方式で使用される複数の周波数成分同士の間隔（櫛歯状スペクトルの櫛歯の間隔）はある程度調整することができる。例えば図４では５ＭＨｚの帯域に等間隔に８つの周波数成分が並んでいるが、間隔を２倍にして４つの周波数成分が並ぶように調整することも可能である。そして、図８に示されるように、残った４つ分の周波数成分の位置に５ＭＨｚを利用する別の移動局のパイロットチャネルをマッピングすることも可能である。このように周波数間隔を調整することで、同一帯域の移動局のパイロットチャネルをディストリビュートＦＤＭＡ方式で区別できる数を増やすことができる。但し、この方式で区別できる数には上限があるので、それを上回る数の移動局が収容される必要がある場合には、実施例１又は２で説明されたＣＤＭＡ方式で移動局のパイロットチャネルが区別される。
【図面の簡単な説明】
【００４３】
【図１】本発明の一実施例による通信システムの全体図を示す。
【図２】移動局の部分ブロック図を示す。
【図３】カザック符号の性質を説明するための図である。
【図４】ディストリビュートＦＤＭＡによるパイロットチャネルのマッピング例を示す図である。
【図５】同一帯域を利用する移動局にカザック符号を割り当てる方法を示す図である。
【図６】本発明の一実施例による基地局の部分ブロック図を示す。
【図７】同一帯域を利用する移動局にカザック符号を割り当てる方法を示す図である。
【図８】ディストリビュートＦＤＭＡによるパイロットチャネルのマッピング例を示す図である。
【符号の説明】
【００４４】
ＭＳ  移動局
ＢＳ  基地局
２１  パイロットチャネル生成部
２２  シフト部
２３  マッピング部
２４  データチャネル生成部
２５  符号拡散部
２６  マッピング部
２７  多重部
２８  送信タイミング調整部
６０  分離部
６１  復調部
６２  パスサーチャ
６３  相関検出部
６４  タイミング検出部
６５  チャネル推定部
６６  パイロットレプリカ生成部
６７  パイロットチャネル生成部
６８  シフト部
６９  マッピング部
【図１】
2007194751.tif 000003
【図２】
2007194751.tif 000004
【図３】
2007194751.tif 000005
【図４】
2007194751.tif 000006
【図５】
2007194751.tif 000007
【図６】
2007194751.tif 000008
【図７】
2007194751.tif 000009
【図８】
2007194751.tif 000010